(57)【要約】      （修正有）【課題】外部からのノイズの影響によって電子装置の誤動作が生じ易い場合でも、その電子装置の誤動作によるユーザの不具合を生じにくくすることを可能にする。【解決手段】コネクタを介してＥＣＵに供給される電流を検出することでＥＣＵに対する外来ノイズを検出するノイズ検出センサ１１ａと、ノイズ検出センサ１１ａで検出した交流電流を直流電流に変換した値が所定の閾値以上であった場合に、ユーザへの警告を行わせる制御信号を報知デバイス５に出力する機器制御信号出力回路１３ａとを備える。【選択図】図２
2014035693.tif 000002
【特許請求の範囲】
【請求項１】
車両に搭載される電子装置（２、３）にかかる電界、前記電子装置にかかる磁界、信号線(２１)と電源線とグランド線とのいずれかを介して前記電子装置に入力若しくは前記電子装置から出力される電流、及び前記電子装置に入力若しくは前記電子装置から出力される電圧のいずれかを検出することで前記電子装置に対する外来ノイズを検出するセンサ部（１１ａ、１１ｂ、１１ｃ）と、
前記センサ部で検出した外来ノイズが閾値以上であるか否かを判定する閾値判定部(１３ａ、１３ｂ、１３ｃ)と、
前記閾値判定部で外来ノイズが閾値以上であると判定した場合に、前記電子装置の誤動作に対応するための処理であるフェールセーフ処理を行うフェールセーフ部(１３ａ、１３ｂ、１３ｃ)とを備えることを特徴とするフェールセーフ装置。
【請求項２】
請求項１において、
前記閾値判定部は、複数の閾値が設定されており、
前記フェールセーフ部は、前記閾値判定部で前記複数の閾値のどの閾値以上であると判定したかに応じて、前記フェールセーフ処理の種類及び度合いのいずれかを変更することを特徴とするフェールセーフ装置。
【請求項３】
請求項１又は２において、
前記閾値判定部及び前記フェールセーフ部は、外来の電磁波ノイズを遮蔽するシールド部材（１０３、１０４）によってシールドされていることを特徴とするフェールセーフ装置。
【請求項４】
請求項３において、
前記閾値判定部及び前記フェールセーフ部を、絶縁層と配線層とが交互に積層されるとともに外皮層（１０４）及び積層方向の直列接続ビア（１０３）がシールドの機能を果たす多層回路基板内に内蔵し、前記外皮層及び積層方向の直列接続ビアを、前記閾値判定部及び前記フェールセーフ部のシールド部材として用いることを特徴とするフェールセーフ装置。
【請求項５】
請求項１〜４のいずれか１項において、
前記フェールセーフ部は、前記閾値判定部で外来ノイズが閾値以上であると判定した場合に、前記車両のユーザに警告を行う警告装置（５）に、前記警告を行わせる制御信号を出力するフェールセーフ処理を行うことを特徴とするフェールセーフ装置。
【請求項６】
請求項１〜５のいずれか１項において、
前記フェールセーフ部は、前記閾値判定部で外来ノイズが閾値以上であると判定した場合に、情報を記録する記録装置（２、７）に、閾値以上と判定した当該外来ノイズに関する記録を行うフェールセーフ処理を行うことを特徴とするフェールセーフ装置。
【請求項７】
請求項１〜５のいずれか１項において、
前記フェールセーフ部は、前記閾値判定部で外来ノイズが閾値以上であると判定した場合に、情報を記録する記録装置（２、７）に、閾値以上と判定した当該外来ノイズに関する記録と、当該外来ノイズを検出した位置を示す位置情報、及び当該外来ノイズを検出した時刻を示す時刻情報のうちの少なくともいずれかの記録とを行うフェールセーフ処理を行うことを特徴とするフェールセーフ装置。
【請求項８】
請求項１〜７のいずれか１項において、
前記フェールセーフ部は、前記閾値判定部で外来ノイズが閾値以上であると判定した場合に、前記車両の挙動を制御する挙動制御装置（６）に、前記車両の停車、減速、及び停車後の再発進の一時禁止のいずれかを行わせる制御信号を出力するフェールセーフ処理を行うことを特徴とするフェールセーフ装置。
【請求項９】
請求項１〜７のいずれか１項において、
前記電子装置に設けられることを特徴とするフェールセーフ装置。
【請求項１０】
請求項９において、
前記電子装置は、当該電子装置以外の車載の装置も接続されている車載ＬＡＮ（４）に接続されているものであって、
前記フェールセーフ部は、前記閾値判定部で外来ノイズが閾値以上であると判定した場合に、前記車載ＬＡＮに外来ノイズが閾値を超えていることを示す信号を出力する一方、前記閾値判定部で外来ノイズが閾値以上でないと判定した場合に、外来ノイズが閾値を超えていないことを示す信号を出力することを特徴とするフェールセーフ装置。
【請求項１１】
請求項９において、
前記電子装置は、当該電子装置以外の車載の装置も接続されている車載ＬＡＮに接続されているものであって、
前記フェールセーフ部は、前記閾値判定部で外来ノイズが閾値以上であると判定した場合に、前記電子装置から前記車載ＬＡＮへの信号の送出を停止させることを特徴とするフェールセーフ装置。
【請求項１２】
請求項９において、
前記電子装置は、当該電子装置以外の車載の装置も接続されている車載ＬＡＮに接続されているものであって、
前記フェールセーフ部は、前記閾値判定部で外来ノイズが閾値以上であると判定した場合に、前記電子装置から前記車載ＬＡＮに信号を送出する送出方法を、前記外来ノイズの影響をより受けにくい送出方法に変更することを特徴とするフェールセーフ装置。
【請求項１３】
請求項９〜１２のいずれか１項において、
前記電子装置は、外部から入力される信号を用いて制御を行うモードと外部から入力される信号を用いずに制御を行うモードとの切り替えが可能な電子制御装置であって、
前記フェールセーフ部は、前記閾値判定部で外来ノイズが閾値以上であると判定した場合に、前記電子装置を、外部から入力される信号を用いずに制御を行うモードに切り替えさせるフェールセーフ処理を行うことを特徴とするフェールセーフ装置。
【請求項１４】
請求項９〜１２のいずれか１項において、
前記電子装置は、外部から入力されるアナログ信号を用いて制御を行うものであって、
前記フェールセーフ部は、前記閾値判定部でノイズが閾値以上であると判定した場合に、外部から前記電子装置に入力されるアナログ信号に対して、前記外来ノイズによる影響を低減する加工を行うことを特徴とするフェールセーフ装置。
【請求項１５】
請求項１〜１４のいずれか１項において、
前記フェールセーフ部は、前記車両の衝突時に情報を記録するドライブレコーダの一部であって、前記車両の衝突時に情報を記録する場合に、衝突時若しくは衝突前後の所定期間に前記センサ部で検出した外来ノイズの状態についての情報を記録することを特徴とするフェールセーフ装置。
【請求項１６】
請求項１〜１５のいずれか１項において、
前記外来ノイズを検出するための検出対象が異なる前記センサ部を複数備えるものであって、
前記閾値判定部は、複数の前記センサ部での外来ノイズの検出結果をもとに、外来ノイズが閾値以上であるか否かを判定することを特徴とするフェールセーフ装置。
【請求項１７】
請求項１６において、
前記閾値判定部は、
前記電流若しくは前記電圧を検出することで前記電子装置に対する外来ノイズを検出する前記センサ部で検出した外来ノイズが閾値以上であった場合でも、前記電界若しくは前記磁界を検出することで前記電子装置に対する外来ノイズを検出する前記センサ部で検出した外来ノイズが閾値以上でなかった場合には、外来ノイズが閾値以上でないと判定することを特徴とするフェールセーフ装置。
【請求項１８】
電子装置（２、３）に設けられ、
車両に搭載される電子装置にかかる電界、前記電子装置にかかる磁界、信号線(２１)と電源線とグランド線とのいずれかを介して前記電子装置に入力若しくは前記電子装置から出力される電流、及び前記電子装置に入力若しくは前記電子装置から出力される電圧のいずれかを検出することで前記電子装置に対する外来ノイズを検出するセンサ部（１１ａ、１１ｂ、１１ｃ）と、
前記センサ部で検出した外来ノイズの大きさに応じたアナログ信号を出力するノイズ対応出力部（１２）と、
前記ノイズ対応出力部から出力されたアナログ信号の大きさに応じた強度で、前記電子装置の誤動作に対応するための処理であるフェールセーフ処理を行うフェールセーフ部(１３ａ、１３ｂ、１３ｃ)とを備えることを特徴とするフェールセーフ装置。
【請求項１９】
車両に搭載される車載システム（１０１）と、
センタ（１０）とを含み、
前記車載システムは、
請求項１〜１７のいずれか１項に記載のフェールセーフ装置と、
前記車両の現在位置を検出する位置検出器（８）と、
センタと通信を行う車両側通信装置（９）とを備え、
前記センタは、
前記車両と通信を行うセンタ側通信装置（４１）を備え、
車載システムは、フェールセーフ装置の前記閾値判定部での判定結果と、位置検出器で検出した、前記判定結果が得られた時点の車両の現在位置とを対応付けて、車両側通信装置からセンタに送信し、
センタは、複数台の車両の車載システムから得た前記判定結果と前記判定結果が得られた時点の車両の現在位置との情報をもとに、前記外来ノイズが前記閾値以上であった地点を電子地図上の位置に対応付け、前記対応付けを行った電子地図上の位置についての情報をセンタ側通信装置から前記車両へ配信することを特徴とするフェールセーフシステム。
【発明の詳細な説明】
【技術分野】
【０００１】
本発明は、フェールセーフ装置及びフェールセーフシステムに関するものである。
【背景技術】
【０００２】
従来、電磁波等の外部からのノイズによる電子装置への悪影響を防止するために、ノイズをシールドする導電性金属からなるシールドケース内に電子装置の電子回路を配置する技術が知られている。
【０００３】
例えば、特許文献１には、６つのシールド面からなる箱形状にシールド構造が形成され、電子部品が実装された金属基板をシールド構造の１面とするとともに、その金属板に相対するシールド面をマザー基板の一部が構成し、他の４つのシールド面を導電性材料からなる枠形状のシールド枠が構成することが開示されている。
【先行技術文献】
【特許文献】
【０００４】
【特許文献１】特開２００７−２７３０４号公報
【発明の概要】
【発明が解決しようとする課題】
【０００５】
しかしながら、特許文献１に開示の技術では、シールド面によって外部からのノイズをシールドし切れなかった場合に、外部からのノイズの影響によって電子回路が誤動作してしまうおそれがあった。よって、その電子回路を備える電子装置にも誤動作が生じ、その電子装置を利用するユーザに不具合が生じるおそれがあった。
【０００６】
本発明は、上記従来の問題点に鑑みなされたものであって、その目的は、外部からのノイズの影響によって電子装置の誤動作が生じ易い場合でも、その電子装置の誤動作によるユーザの不具合を生じにくくすることを可能にするフェールセーフ装置及びフェールセーフシステムを提供することにある。
【課題を解決するための手段】
【０００７】
本発明のフェールセーフ装置は、車両に搭載される電子装置（２、３）にかかる電界、電子装置にかかる磁界、信号線（２１）と電源線とグランド線とのいずれかを介して電子装置に入力若しくは電子装置から出力される電流、及び電子装置に入力若しくは電子装置から出力される電圧のいずれかを検出することで電子装置に対する外来ノイズを検出するセンサ部（１１ａ、１１ｂ、１１ｃ）と、センサ部で検出した外来ノイズが閾値以上であるか否かを判定する閾値判定部(１３ａ、１３ｂ、１３ｃ)と、閾値判定部で外来ノイズが閾値以上であると判定した場合に、電子装置の誤動作に対応するための処理であるフェールセーフ処理を行うフェールセーフ部(１３ａ、１３ｂ、１３ｃ)とを備えることを特徴としている。
【０００８】
これによれば、外来ノイズが閾値以上であった場合に、電子装置の誤動作に対応するためのフェールセーフ処理をフェールセーフ部で行うので、外来ノイズの影響によって電子装置の誤動作が生じ易い状況となった場合でも、電子装置の誤動作に対応するための処理が行われることになる。従って、フェールセーフ処理によって電子装置の誤動作が生じないようにしたり、電子装置の誤動作が生じた場合にその誤動作によるユーザの不具合を低減したりすることが可能になる。その結果、外部からのノイズの影響によって電子装置の誤動作が生じ易い場合でも、その電子装置の誤動作によるユーザの不具合を生じにくくすることが可能になる。
【０００９】
また、本発明の他のフェールセーフ装置は、電子装置（２、３）に設けられ、車両に搭載される電子装置にかかる電界、電子装置にかかる磁界、信号線（２１）と電源線とグランド線とのいずれかを介して電子装置に入力若しくは電子装置から出力される電流、及び電子装置に入力若しくは電子装置から出力される電圧のいずれかを検出することで電子装置に対する外来ノイズを検出するセンサ部（１１ａ、１１ｂ、１１ｃ）と、センサ部で検出した外来ノイズの大きさに応じたアナログ信号を出力するノイズ対応出力部（１２）と、ノイズ対応出力部から出力されたアナログ信号の大きさに応じた強度で、電子装置の誤動作に対応するための処理であるフェールセーフ処理を行うフェールセーフ部(１３ａ、１３ｂ、１３ｃ)とを備えることを特徴としている。
【００１０】
これによれば、外来ノイズの大きさに応じた強度で、電子装置の誤動作に対応するためのフェールセーフ処理をフェールセーフ部で行うので、外来ノイズの影響によって電子装置の誤動作が生じ易い状況となった場合でも、外来ノイズの大きさに応じた強度で電子装置の誤動作に対応するためのフェールセーフ処理が行われることになる。従って、外来ノイズの大きさに応じた強度のフェールセーフ処理によって電子装置の誤動作が生じないようにしたり、電子装置の誤動作が生じた場合にその誤動作によるユーザの不具合を低減するようにしたりすることが可能になる。その結果、外部からのノイズの影響によって電子装置の誤動作が生じ易い場合でも、その電子装置の誤動作によるユーザの不具合を生じにくくすることが可能になる。
【図面の簡単な説明】
【００１１】
【図１】車載システム１００の概略的な構成の一例を示す図である。
【図２】ＥＣＵ用フェールセーフ装置１ａの概略的な構成の一例を示すブロック図である。
【図３】電流センサをノイズ検出センサ１１ａに適用した場合の一例を示す模式図である。
【図４】（ａ）〜（ｃ）は、電界センサをノイズ検出センサ１１ａに適用した場合の一例を示す模式図である。
【図５】（ａ）及び（ｂ）は、磁界センサをノイズ検出センサ１１ａに適用した場合の例を示す模式図である。
【図６】電圧センサをノイズ検出センサ１１ａに適用した場合の一例を示す模式図である。
【図７】センサ信号処理回路１４ａの具体例を示す回路図である。
【図８】（ａ）は、ノイズ検出センサ１１ａとセンサ信号処理回路１４ａとを内蔵したＰＡＬＡＰ基板を示す上面図であって、（ｂ）は図８（ａ）のＩＩ−ＩＩ線断面図である。
【図９】センサ用フェールセーフ装置１ｂの概略的な構成の一例を示すブロック図である。
【図１０】車両用フェールセーフ装置１ｃの概略的な構成の一例を示すブロック図である。
【図１１】フェールセーフシステム２００の概略的な構成の一例を示すブロック図である。
【発明を実施するための形態】
【００１２】
以下、本発明の実施形態について図面を用いて説明する。
【００１３】
（実施形態１）
図１に示す車載システム１００は、車両に搭載されるものであって、ＥＣＵ用フェールセーフ装置１ａ、センサ用フェールセーフ装置１ｂ、車両用フェールセーフ装置１ｃを含んでいる。また、ＥＣＵ用フェールセーフ装置１ａはＥＣＵ２に設けられており、センサ用フェールセーフ装置１ｂはセンサ３に設けられている。
【００１４】
ＥＣＵ２は、車両を制御するための電子制御装置（Electronic ControlUnit）である。センサ３は、ＥＣＵ２での制御に用いる車両の挙動や状態に関する情報を検出するセンサである。ＥＣＵ２及びセンサ３のいずれについても、電子回路及び当該電子回路と外部の信号線とを接続するコネクタを備えているものとする。
【００１５】
なお、本実施形態の例においては、ＥＣＵ２及びセンサ３は、ＣＡＮ（controller areanetwork）などの通信プロトコルに準拠した車載ＬＡＮ４で各々接続されているものとして説明を行う。本実施形態では、便宜上、車載ＬＡＮ４に接続される電子装置として、ＥＣＵ２及びセンサ３のみを示しているが、車載ＬＡＮ４には他の車載の電子装置も接続されているものとする。
【００１６】
まず、ＥＣＵ用フェールセーフ装置１ａの構成について図２を用いて説明する。ＥＣＵ用フェールセーフ装置１ａは、図２に示すように、ノイズ検出センサ１１ａ、ノイズ定量化回路１２、機器制御信号出力回路１３ａからなっている。また、ノイズ定量化回路１２及び機器制御信号出力回路１３ａがセンサ信号処理回路１４ａを構成している。
【００１７】
ノイズ検出センサ１１ａは、例えば前述のコネクタを介してＥＣＵ２に供給される電流を検出する電流センサである。ノイズ検出センサ１１ａが請求項のセンサ部に相当する。ここで、図３を用いて、電流センサをノイズ検出センサ１１ａに適用した場合の例を示す。
【００１８】
電流センサとしては、例えば公知のロゴスキーコイルからなる電流センサを用いる構成とすればよく、図３では、ロゴスキーコイルからなる電流センサを用いた場合の例を示す。ＥＣＵ２の外部の信号線２１からコネクタ２２を介してＥＣＵ２の基板２３上の配線に供給される交流電流は、ノイズ検出センサ１１ａとしてのロゴスキーコイルで検出される。そして、ロゴスキーコイルで検出された交流電流は、ノイズ定量化回路１２に出力される。
【００１９】
また、ノイズ検出センサ１１ａは、前述の電流センサに限らず、ＥＣＵ２にかかる電界（言い換えるとＥＣＵ２周辺の空間の電界）を検出する電界センサ、ＥＣＵ２にかかる磁界（言い換えるとＥＣＵ２周辺の空間の磁界）を検出する磁界センサ、コネクタを介してＥＣＵ２に供給される電圧を検出する電圧センサなどであってもよい。
【００２０】
なお、電流センサや電圧センサは、信号線２１からコネクタを介してＥＣＵ２に供給される電流や電圧を検出するものに限らず、電源線からＥＣＵ２に供給（入力）される電流や電圧を検出するものであってもよいし、ＥＣＵ２からグランド（ＧＮＤ）線に出力される電流や電圧を検出するものであってもよい。
【００２１】
電界センサとしては、公知のモノポールアンテナやダイポールアンテナやＥＯプローブ等を用いる構成とすればよい。ここで、図４（ａ）〜図４（ｃ）を用いて、電界センサをノイズ検出センサ１１ａに適用した場合の例を示す。図４（ａ）はＥＣＵ２の基板２３の上面を示す模式図、図４（ｂ）は図４（ａ）のＡ矢視図、図４（ｃ）はＥＣＵ２の基板２３の下面を示す模式図である。なお、図４（ａ）〜図４（ｃ）では、電界成分を検出するモノポールアンテナを電界センサとして用いた場合の例を示す。
【００２２】
モノポールアンテナとしてのノイズ検出センサ１１ａは、ＥＣＵ２の基板２３の配線パターン（図４（ａ）のＢ参照）によってセンサ信号処理回路１４ａに接続されるように実装されている。詳しくは、モノポールアンテナは、基板２３の上面に突出するように、下面から上面に貫通して設けられており、基板２３の下面のべたＧＮＤ（図４（ｃ）の斜線部参照）にはんだ（図４（ｂ）のＣ参照）によって固定されている。モノポールアンテナのアンテナエレメントは、強電界を検知しさえすればよいので、１０ｍｍ程度とすればよい。モノポールアンテナで検出された電界成分（電界成分信号波）は、ノイズ定量化回路１２に出力される。
【００２３】
磁界センサとしては、公知のループアンテナ（例えばシールデッドループアンテナ）やＭＲ素子を用いる構成とすればよい。ここで、図５（ａ）及び図５（ｂ）を用いて、磁界センサをノイズ検出センサ１１ａに適用した場合の例を示す。図５（ａ）はＥＣＵ２の基板２３の上面を示す模式図、図５（ｂ）はＥＣＵ２の基板２３の下面を示す模式図である。なお、図５（ａ）及び図５（ｂ）では、磁界成分を検出するループアンテナを磁界センサとして用いた場合の例を示す。
【００２４】
ループアンテナとしてのノイズ検出センサ１１ａは、ＥＣＵ２の基板２３の配線パターンとして実装されている。また、この配線パターンはセンサ信号処理回路１４ａに接続されるよう設けられている（図５（ａ）参照）。基板２３の下面には、べたＧＮＤ（図５（ｂ）の斜線部参照）が設けられているが、ループアンテナの下面については、ＧＮＤが存在すると渦電流で磁界が打ち消されるため、ＧＮＤが設けられていない。ループアンテナは、強電界を検知しさえすればよいので、ループ径は１０ｍｍ程度とすればよい。ループアンテナで検出された磁界成分（磁界成分信号波）は、ノイズ定量化回路１２に出力される。
【００２５】
例えば、電圧センサとしては、公知の電圧測定回路を用いる構成とすればよい。電圧測定回路としては、例えば後述の図７に示すノイズ定量化回路１２を用いる構成とすればよい。ここで、図６を用いて、電圧センサをノイズ検出センサ１１ａに適用した場合の例を示す。図６では、電圧測定回路を電圧センサとして用いた場合の例を示す。ノイズ検出センサ１１ａとしての電圧測定回路は、ＥＣＵ２の外部の信号線２１からコネクタ２２を介してＥＣＵ２の基板２３上の配線に供給される電圧を検出する。電圧測定回路で検出された交流電圧は、ノイズ定量化回路１２に出力される。
【００２６】
上述したように、ノイズ検出センサ１１ａとしては、電流センサ、電圧センサ、電界センサ、磁界センサといった各種のセンサを用いることができるが、本実施形態では、ロゴスキーコイルからなる電流センサを用いる場合を例に挙げて以降の説明を行う。
【００２７】
図２に戻って、ノイズ定量化回路１２は、ノイズ検出センサ１１ａから出力された交流信号（本例では交流電流）を、交流信号の強度に応じた直流信号（本例では直流電流）に変換する。一例としては、図７に示すような、抵抗（図７のＲ３、Ｒ４参照）とダイオード（図７のＤ１参照）とコンデンサ（図７のＣ２参照）とからなる簡単な回路によって行う構成とすればよい。なお、図７中のＴＰ１及びＴＰ２は、ロゴスキーコイルと接続する端子を示している。
【００２８】
なお、ノイズ検出センサ１１ａとして電圧センサを用いた場合には、ノイズ検出センサ１１ａで検出した交流電圧を、ノイズ定量化回路１２で直流電圧に変換することになる。また、ノイズ検出センサ１１ａとして電界センサを用いた場合には、ノイズ検出センサ１１ａで検出した電界成分を、ノイズ定量化回路１２で位相成分を除いた振幅成分に変換することになる。さらに、ノイズ検出センサ１１ａとして磁界センサを用いた場合には、ノイズ検出センサ１１ａで検出した磁界成分を、ノイズ定量化回路１２で位相成分を除いた振幅成分に変換することになる。
【００２９】
ノイズ定量化回路１２は、ダイオードとキャパシタ(コンデンサ)とからなる半波整流回路であってもよいし、ＡＤ変換回路と演算回路とを備え、ＡＤ変換回路でのＡＤ変換の後、演算回路での演算によって直流信号に変換する構成であってもよい。
【００３０】
機器制御信号出力回路１３ａは、ノイズ定量化回路１２で変換された直流信号を、その直流信号の強度に応じた信号に変換する。具体的には、直流信号の強度が所定の閾値を超えた場合に、ユーザへの警告を行わせる制御信号を報知デバイス５に出力するフェールセーフ処理を行う。機器制御信号出力回路１３ａが請求項の閾値判定部及びフェールセーフ部に相当する。
【００３１】
ここで言うところの所定の閾値は、任意に設定可能な値であって、ＥＣＵ２やセンサ３やその他の電子装置が誤動作することが知られているノイズ強度に応じた直流信号の値を設定する構成とすればよい。また、フェールセーフ処理とは、ＥＣＵ２やセンサ３等の車載の電子装置の誤動作に対応するための処理である。
【００３２】
一例としては、図７に示すような、抵抗（図７のＲ１、Ｒ２参照）とダイオード（図７のＤ２参照）とコンデンサ（図７のＣ１参照）とコンパレータ（図７のＯＰ１）からなる簡単な回路によって行う構成とすればよい。
【００３３】
なお、本実施形態では、機器制御信号出力回路１３ａとして、図７に示すような簡単な回路を用いる場合を例に挙げて以降の説明を行うが、機器制御信号出力回路１３ａとしてマイクロコンピュータ（ＭＰＵ）を用いる構成としてもよい。また、ＥＣＵ２のＭＰＵが機器制御信号出力回路１３ａとして機能する構成としてもよい。
【００３４】
また、ノイズ定量化回路１２を、前述したようにＡＤ変換回路と演算回路とで構成した場合に、機器制御信号出力回路１３ａでの前述の閾値判定も当該演算回路で行う構成としてもよい。
【００３５】
ユーザへの警告を行わせる制御信号が入力された報知デバイス５では、この制御信号に従ってユーザへの警告を行う。報知デバイス５としては、例えば表示装置や音声出力装置やＬＥＤ等の照明装置やステアリングや座席等に設けられた振動発生装置などを用いることができる。この報知デバイス５が請求項の警告装置に相当する。
【００３６】
表示装置の場合には、テキストや画像の表示によって、ＥＣＵ２が担う機能やＥＣＵ２からの信号をもとに実行される機能に不具合が生じる可能性やその不具合への対処方法を知らせる警告を行ったり、外来ノイズが大きいことを示す警告を行ったりすればよい。音声出力装置の場合には、音声によって上述したような警告を行えばよい。照明装置の場合には、点灯によって警告を行えばよい。振動発生装置の場合には、振動を発生させることで警告を行えばよい。
【００３７】
これによれば、ユーザが警告を受けることができるので、外来ノイズの影響によってＥＣＵ２の誤動作が生じ易い場合に、その誤動作に備えた対処をユーザがとることが可能になり、誤動作によるユーザの不具合を生じにくくすることが可能になる。
【００３８】
本実施形態では、機器制御信号出力回路１３ａから、ユーザへの警告を行わせる制御信号を報知デバイス５に出力する構成を示したが、必ずしもこれに限らない。例えば、直流信号の強度が所定の閾値を超えた場合に、機器制御信号出力回路１３ａが、ＥＣＵ２のＥＥＰＲＯＭ等の電気的に書き換え可能な不揮発性メモリに当該強度を出力して記録する構成としてもよい。直流信号の強度を記録する場合には、当該強度の直流信号を検出したときのタイムスタンプ（つまり、時刻情報）も記録する構成とすればよい。なお、ＥＣＵ２の上記不揮発性メモリが請求項の記録装置に相当する。
【００３９】
また、直流信号の強度を記録する場合に、時刻情報とともに、若しくは時刻情報に代えて、図示しない位置検出器で検出した、当該強度の直流信号を検出したときの自車の位置情報も記録する構成としてもよい。
【００４０】
これによれば、所定の閾値を超えた場合の直流信号の強度を記録することができるので、外来ノイズの影響によってＥＣＵ２の誤動作が実際に生じた場合に、その記録をもとに誤動作の原因を解析することができる。よって、誤動作が生じた場合にも、誤動作の原因を探る手間がかかる不具合を抑えることが可能になる。よって、ＥＣＵ２の誤動作によるユーザの不具合を生じにくくすることが可能になる。
【００４１】
また、直流信号の強度が所定の閾値を超えた場合に、ＥＣＵ２が誤動作をしている可能性があることを示す信号(以下、フェール信号)を車載ＬＡＮ４に出力させる制御信号を、機器制御信号出力回路１３ａがＥＣＵ２のＭＰＵに出力することで、フェール信号を出力する構成としてもよい。フェール信号は、例えば直流信号の強度（つまり、外来ノイズ）が所定の閾値を超えていることを示す信号とすればよい。また、直流信号の強度が所定の閾値を超えていない場合に、直流信号の強度（つまり、外来ノイズ）が所定の閾値を超えていないことを示す信号を車載ＬＡＮ４に出力させる制御信号を、機器制御信号出力回路１３ａがＥＣＵ２のＭＰＵに出力する構成としてもよい。
【００４２】
これによれば、車載ＬＡＮ４に接続されるＥＣＵ２以外のＥＣＵ（以下、他ＥＣＵ）が、ＥＣＵ２のフェール信号を受け取ることができる。よって、ＥＣＵ２からの信号を用いて制御を行う他ＥＣＵが当該フェール信号を受け取った場合に、ＥＣＵ２からの信号を用いた制御を行わなかったり、ＥＣＵ２からの信号を用いない制御に切り替えたりすることで、ＥＣＵ２の誤動作による不具合を抑えることが可能になる。その結果、ＥＣＵ２の誤動作によるユーザの不具合を生じにくくすることが可能になる。
【００４３】
他にも、直流信号の強度が所定の閾値を超えた場合に、ＥＣＵ２から車載ＬＡＮ４への信号の出力を停止させる制御信号を、機器制御信号出力回路１３ａがＥＣＵ２のＭＰＵに出力することで、ＥＣＵ２から車載ＬＡＮ４への信号の出力を停止する構成としてもよい。
【００４４】
これによれば、外来ノイズの影響によってＥＣＵ２の誤動作が生じ易い場合に、ＥＣＵ２から車載ＬＡＮ４への信号の出力を停止するので、ＥＣＵ２からの信号を用いて制御を行う他ＥＣＵでのＥＣＵ２の誤動作による不具合を抑えることが可能になる。その結果、ＥＣＵ２の誤動作によるユーザの不具合を生じにくくすることが可能になる。
【００４５】
また、直流信号の強度が所定の閾値を超えた場合に、ＥＣＵ２から車載ＬＡＮ４への信号の送出方法を、外来ノイズの影響をより受けにくい送出方法に変更させる制御信号を、機器制御信号出力回路１３ａがＥＣＵ２のＭＰＵに出力することで、送出方法を変更する構成としてもよい。
【００４６】
外来ノイズの影響をより受けにくい送出方法への変更としては、例えば外来ノイズを埋もれさせるように出力アップしたり、外来ノイズ以外の周波数に変換したり、アイドル時間を長くしたり、通信速度を落としたりすることが挙げられる。
【００４７】
これによれば、ＥＣＵ２から車載ＬＡＮ４へ出力する信号が外来ノイズの影響を受け易い場合に、外来ノイズの影響をより受けにくい送出方法に変更させるので、ＥＣＵ２からの信号を用いて制御を行う他ＥＣＵでのＥＣＵ２の誤動作による不具合を抑えることが可能になる。その結果、ＥＣＵ２の誤動作によるユーザの不具合を生じにくくすることが可能になる。
【００４８】
さらに、直流信号の強度が所定の閾値を超えた場合に、ＥＣＵ２の外部からの信号を用いずに制御を行うモードに切り替えさせる制御信号を、機器制御信号出力回路１３ａがＥＣＵ２のＭＰＵに出力することで、ＥＣＵ２の外部からの信号を用いずにＥＣＵ２で制御を行わせる構成としてもよい。この場合、ＥＣＵ２は、外部から入力される信号を用いて制御を行うモードと外部から入力される信号を用いずに制御を行うモードとの切り替えが可能なものとする。
【００４９】
これによれば、外来ノイズの影響によって、外部から入力される信号に異常が生じていた場合に、ＥＣＵ２の外部からの信号を用いずにＥＣＵ２で制御を行わせるモードに切り替えるので、異常が生じた外部からの信号を用いることによる不具合を抑えることが可能になる。その結果、ＥＣＵ２の誤動作によるユーザの不具合を生じにくくすることが可能になる。
【００５０】
他にも、ＥＣＵ２がジカ線で接続されたセンサ等の電子装置から入力されるアナログ信号を用いて制御を行っている場合であって、且つ、直流信号の強度が所定の閾値を超えた場合に、このアナログ信号に対して、外来ノイズによる影響を低減する加工を行わせる制御信号を、機器制御信号出力回路１３ａがＥＣＵ２のＭＰＵに出力することで、当該加工を行う構成としてもよい。
【００５１】
外来ノイズによる影響を低減する加工としては、例えば逐次入力されてくるアナログ信号を移動平均する等の平均化、リトライ、異常値を除外するためのフィルタリングなどが挙げられる
これによれば、外来ノイズの影響によって、外部から入力されるアナログ信号に異常が生じていた場合に、外来ノイズによる影響を低減する加工を行うので、異常が生じた外部からのアナログ信号を用いることによる不具合を抑えることが可能になる。その結果、ＥＣＵ２の誤動作によるユーザの不具合を生じにくくすることが可能になる。
【００５２】
また、ノイズ定量化回路１２及び機器制御信号出力回路１３ａからなるセンサ信号処理回路１４ａは、外来の電磁波ノイズを遮蔽するシールド部材によってシールドされていることが好ましい。シールド部材としては、金属等の導電性の材料を用いればよく、例えばシールド部材でセンサ信号処理回路１４ａを囲うなどしてシールドすればよい。
【００５３】
特に、センサ信号処理回路１４ａを、多層回路基板であるＰＡＬＡＰ(登録商標)基板内に内蔵し、ＰＡＬＡＰ基板の外皮層及び積層方向の直列接続ビアを、センサ信号処理回路１４ａのシールド部材として用いることが好ましい。また、内蔵可能である場合には、ノイズ検出センサ１１ａも上述のＰＡＬＡＰ基板内に内蔵することが好ましい。なお、ＰＡＬＡＰ基板とは、ＰＡＬＡＰ（Patterned PrepregLay Up Process)として知られる周知の一括熱プレスにて製造された多層回路基板である。
【００５４】
ここで、図８（ａ）及び図８（ｂ）を用いて、上述のＰＡＬＡＰ基板内に、ロゴスキーコイルとしてのノイズ検出センサ１１ａとセンサ信号処理回路１４ａとを内蔵した構造についての説明を行う。図８（ａ）は、当該構造をしたＰＡＬＡＰ基板を示す上面図であって、図８（ｂ）は、図８（ａ）のＩＩ−ＩＩ線断面図である。
【００５５】
図８（ｂ）では、便宜上、詳細な構造の図示は省略しているが、上記ＰＡＬＡＰ基板は、熱可塑性樹脂の基材からなる絶縁層と、当該基材に配線パターンが形成された配線層とが交互に積層されて、周知の一括熱プレスにて作製されている。具体的には、ロゴスキーコイルとしてのノイズ検出センサ１１ａやセンサ信号処理回路１４ａも上記配線層から構成されており、一括熱プレスにてＰＡＬＡＰ基板が作製されることで、ＰＡＬＡＰ基板に内蔵されるようになっている。
【００５６】
ＰＡＬＡＰ基板の上面と下面の外皮層１０４は、ＧＮＤとなっており、この外皮層１０４が、ノイズ検出センサ１１ａやセンサ信号処理回路１４ａにとっての、ＰＡＬＡＰ基板の積層方向からの外来の電磁波ノイズに対してのシールド部材として機能する。
【００５７】
また、ＰＡＬＡＰ基板の積層方向には金属が充填された直列接続ビア１０３が設けられている。この直列接続ビア１０３は、ノイズ検出センサ１１ａやセンサ信号処理回路１４ａの、上記積層方向と直交する方向の外周を囲うように設けられているものとする。これにより、直列接続ビア１０３が、ノイズ検出センサ１１ａやセンサ信号処理回路１４ａにとっての、上記積層方向と直交する方向からの外来の電磁波ノイズに対してのシールド部材として機能する。
【００５８】
以上の構成によれば、ノイズ検出センサ１１ａやセンサ信号処理回路１４ａがシールド部材によって外来の電磁波ノイズからシールドされるので、外来の電磁波ノイズによるノイズ検出センサ１１ａでの誤検出やセンサ信号処理回路１４ａの誤動作を防ぐことができる。
【００５９】
ＥＣＵの筐体としては、軽量化のために金属ではなく樹脂が用いられるようになってきている。そのため、外来の電磁波ノイズ等の外来ノイズによるＥＣＵの誤動作に対応する手段として、ＥＣＵ全体を金属で覆うシールド部材を採用することを避けたいという要求がある。
【００６０】
これに対して、実施形態１の構成によれば、ノイズ検出センサ１１ａで検出した直流信号の強度が閾値以上（つまり、外来ノイズが閾値以上）であった場合に、電子装置の誤動作に対応するためのフェールセーフ処理を行うことで、ＥＣＵ２の誤動作に対応することができるので、ＥＣＵ２全体を金属で覆うシールド部材を採用しなくても、ＥＣＵ２の誤動作によるユーザの不具合を生じにくくすることが可能になる。また、シールド部材を用いる場合にも、前述したように、ノイズ検出センサ１１ａやセンサ信号処理回路１４ａをシールドするシールド部材を用いるだけに限定することができる。
【００６１】
続いて、センサ用フェールセーフ装置１ｂの構成について図９を用いて説明する。センサ用フェールセーフ装置１ｂは、図９に示すように、ノイズ検出センサ１１ｂ、ノイズ定量化回路１２、機器制御信号出力回路１３ｂからなっている。また、ノイズ定量化回路１２及び機器制御信号出力回路１３ｂがセンサ信号処理回路１４ｂを構成している。
【００６２】
ノイズ検出センサ１１ｂは、前述のノイズ検出センサ１１ａと同様のものである。ノイズ検出センサ１１ｂは、前述の電流センサ、電界センサ、磁界センサ、電圧センサのいずれであってもよい。ノイズ検出センサ１１ｂが請求項のセンサ部に相当する。
【００６３】
センサ用フェールセーフ装置１ｂのノイズ定量化回路１２は、ＥＣＵ用フェールセーフ装置１ａのノイズ定量化回路１２と同様のものである。センサ用フェールセーフ装置１ｂの機器制御信号出力回路１３ｂは、例えば図７に示す機器制御信号出力回路１３ａと同様の構成をしている。
【００６４】
機器制御信号出力回路１３ｂは、ノイズ定量化回路１２で変換された直流信号の強度が所定の閾値を超えた場合に、センサ３から車載ＬＡＮ４への信号の出力を停止させる制御信号を、機器制御信号出力回路１３ａがセンサ３のコントローラ３１に出力することで、センサ３から車載ＬＡＮ４への信号の出力を停止する。
【００６５】
これによれば、外来ノイズの影響によってセンサ３の誤動作が生じ易い場合に、センサ３から車載ＬＡＮ４への信号の出力を停止するので、センサ３からの信号を用いて制御を行うＥＣＵでのセンサ３の誤動作による不具合を抑えることが可能になる。その結果、センサ３の誤動作によるユーザの不具合を生じにくくすることが可能になる。
【００６６】
また、機器制御信号出力回路１３ｂは、直流信号の強度が所定の閾値を超えた場合に、機器制御信号出力回路１３ａの場合と同様にして、ユーザへの警告を行わせる制御信号を報知デバイス５に出力したり、センサ３が誤動作をしている可能性があることを示すフェール信号を出力したり、外来ノイズの影響をより受けにくい送出方法に変更する構成としてもよい。
【００６７】
なお、機器制御信号出力回路１３ａの場合と異なる点は、制御信号の出力先が、ＥＣＵ２のＭＰＵからセンサ３のコントローラ３１になる点である。効果については、ＥＣＵ２の誤動作の代わりに、センサ３の誤動作によるユーザの不具合を生じにくくすることが可能になる点を除けば同様である。
【００６８】
また、センサ信号処理回路１４ｂについても、前述したセンサ信号処理回路１４ａと同様にして、外来の電磁波ノイズを遮蔽するシールド部材によってシールドされていることが好ましい。
【００６９】
次に、車両用フェールセーフ装置１ｃの構成について図１０を用いて説明する。車両用フェールセーフ装置１ｃは、図１０に示すように、ノイズ検出センサ１１ｃ、ノイズ定量化回路１２、機器制御信号出力回路１３ｃからなっている。また、ノイズ定量化回路１２及び機器制御信号出力回路１３ｃがセンサ信号処理回路１４ｃを構成している。
【００７０】
ノイズ検出センサ１１ｃは、前述のノイズ検出センサ１１ａと同様のものである。ノイズ検出センサ１１ｃは、前述の電流センサ、電界センサ、磁界センサ、電圧センサのいずれであってもよい。ノイズ検出センサ１１ｃが請求項のセンサ部に相当する。
【００７１】
車両用フェールセーフ装置１ｃのノイズ定量化回路１２は、ＥＣＵ用フェールセーフ装置１ａのノイズ定量化回路１２と同様のものである。車両用フェールセーフ装置１ｃの機器制御信号出力回路１３ｃは、例えば図７に示す機器制御信号出力回路１３ａと同様の構成をしている。
【００７２】
機器制御信号出力回路１３ｃは、ノイズ定量化回路１２で変換された直流信号の強度が所定の閾値を超えた場合に、車両の減速や停車や停車後の再発進の一時禁止を行わせる制御信号を、車両の挙動を制御する挙動制御ＥＣＵ６に出力する。挙動制御ＥＣＵ６が請求項の挙動制御装置に相当する。
【００７３】
挙動制御ＥＣＵ６としては、車両に制動力を印加するブレーキアクチュエータを制御するＶＳＣ_ＥＣＵやブレーキＥＣＵ等がある。挙動制御ＥＣＵ６としてＶＳＣ_ＥＣＵやブレーキＥＣＵを用いる場合には、機器制御信号出力回路１３ｃから入力される制御信号に従ってブレーキアクチュエータを制御し、車両の減速や停車を行わせる構成とすればよい。
【００７４】
また、挙動制御ＥＣＵ６としては、スロットルアクチュエータを制御するＥＮＧ_ＥＣＵも用いることができる。挙動制御ＥＣＵ６としてＥＮＧ_ＥＣＵを用いる場合には、機器制御信号出力回路１３ｃから入力される制御信号に従ってスロットルアクチュエータを制御してエンジンブレーキを発生させることで減速を行う構成とすればよい。
【００７５】
他にも、挙動制御ＥＣＵ６としては、車両の始動を禁止するイモビＥＣＵがある。挙動制御ＥＣＵ６としてイモビＥＣＵを用いる場合には、機器制御信号出力回路１３ｃから入力される制御信号に従って車両の始動を一時的に禁止する構成とすればよい。再発進の一時禁止は、所定時間としてもよいし、ノイズ定量化回路１２で変換された直流信号の強度が所定の閾値を下回るまでとしてもよい。
【００７６】
これによれば、外来ノイズの影響によって、車載の電子装置が誤動作し易い状況にある場合に、車両を減速させたり、停車させたり、停車後の再発進を一時禁止したりするので、車載の電子装置が誤動作する前に停車したり、車載の電子装置が誤動作した場合に迅速に停車したりすることが可能になる。その結果、車載の電子装置の誤動作によるユーザの不具合を生じにくくすることが可能になる。
【００７７】
さらに、直流信号の強度が所定の閾値を超えた場合に、機器制御信号出力回路１３ｃが、情報を記録する記録装置７に当該強度を出力して記録する構成としてもよい。直流信号の強度を記録する場合には、当該強度の直流信号を検出したときのタイムスタンプ（つまり、時刻情報）も記録する構成とすればよい。記録装置７は、電気的に書き換え可能な不揮発性メモリであるものとする。
【００７８】
また、直流信号の強度を記録する場合に、時刻情報とともに、若しくは時刻情報に代えて、図示しない位置検出器で検出した、当該強度の直流信号を検出したときの自車の位置情報も記録する構成としてもよい。
【００７９】
これによれば、所定の閾値を超えた場合の直流信号の強度を記録することができるので、外来ノイズの影響によって車載の電子装置の誤動作が実際に生じた場合に、その記録をもとに誤動作の原因を解析することができる。よって、誤動作が生じた場合にも、誤動作の原因を探る手間がかかる不具合を抑えることが可能になる。よって、車載の電子装置の誤動作によるユーザの不具合を生じにくくすることが可能になる。
【００８０】
他にも、機器制御信号出力回路１３ｂは、直流信号の強度が所定の閾値を超えた場合に、ユーザへの警告を行わせる制御信号を報知デバイス５に出力する構成としてもよい。ユーザへの警告を行わせる制御信号が入力された報知デバイス５では、この制御信号に従ってユーザへの警告を行う。
【００８１】
報知デバイス５が表示装置の場合には、テキストや画像の表示によって、外来ノイズによって車両の機能に不具合が生じる可能性を知らせる警告や減速や停車を促す警告を行ったり、外来ノイズが大きいことを示す警告を行ったりすればよい。音声出力装置の場合には、音声によって上述したような警告を行えばよい。照明装置の場合には、点灯によって警告を行えばよいし、振動発生装置の場合には、振動を発生させることで警告を行えばよい。
【００８２】
これによれば、ユーザが警告を受けることができるので、外来ノイズの影響によって車載の電子装置の誤動作が生じ易い場合に、その誤動作に備えた対処をユーザがとることが可能になり、誤動作によるユーザの不具合を生じにくくすることが可能になる。
【００８３】
なお、センサ信号処理回路１４ｃについても、前述したセンサ信号処理回路１４ａと同様にして、外来の電磁波ノイズを遮蔽するシールド部材によってシールドされていることが好ましい。
【００８４】
また、本発明を車両の衝突時に情報を記録する周知のドライブレコーダに適用する構成としてもよい。例えば、車両用フェールセーフ装置１ｃをドライブレコーダに組み込む。そして、車両の衝突時においてドライブレコーダのメモリに、衝突時点や衝突時点の前後の所定期間のカメラ映像や車速等のデータを記録する際に、当該衝突時点や当該所定期間にノイズ検出センサ１１ｃで検出した外来ノイズやノイズ定量化回路１２で変換された直流信号の強度についての情報も、当該メモリに記録する構成とすればよい。これによれば、車両の衝突時の外来ノイズの状態を容易に知ることが可能になる。
【００８５】
また、機器制御信号出力回路１３ａ・１３ｂが、直流信号（電流センサで検出した電流、電圧センサで検出した電圧に限る）の強度が所定の閾値を超えた場合に、ノイズ検出センサ１１ａ・１１ｂで検出した交流信号と逆位相（例えば同振幅逆位相）の信号を車載ＬＡＮ４に出力することで外来ノイズの影響を抑える構成としてもよい。なお、ここで言うところの交流信号は、電流センサとしてのノイズ検出センサ１１ａ・１１ｂで検出した交流電流、電圧センサとしてのノイズ検出センサ１１ａ・１１ｂで検出した交流電圧に限る。
【００８６】
本実施形態では、閾値判定に用いる閾値が１つの構成を示したが、必ずしもこれに限らない。例えば、複数段階の閾値を閾値判定に用いる構成としてもよい。この場合、外来ノイズの強度に応じてＥＣＵ２やセンサ３等の電子装置の誤動作の度合いが異なることを想定して、誤動作の度合いが変わると想定される強度ごとに閾値を設定することが好ましい。そして、複数段階の閾値のどの大きさの閾値を超えたかに応じて、出力する制御信号も変更することが好ましい。
【００８７】
一例として、２段階の閾値があった場合に、１つ目の閾値を超えたところで、ユーザへの警告を行わせる制御信号を報知デバイス５に出力し、１つ目よりも大きな２つ目の閾値を超えたところで、車両の減速や停車や停車後の再発進の一時禁止を行わせる制御信号を挙動制御ＥＣＵ６に出力する構成などとすればよい。なお、上述の例のように複数段階の閾値のどの大きさの閾値を超えたかに応じて、フェールセーフ処理の種類を変更する構成に限らず、警告の音量を変更するなどフェールセーフ処理の度合いを変更する構成としてもよい。
【００８８】
また、本実施形態では、ＥＣＵ用フェールセーフ装置１ａ、センサ用フェールセーフ装置１ｂ、車両用フェールセーフ装置１ｃにおいて、外来ノイズを検出するためのセンサを１つ備える構成を示したが、必ずしもこれに限らない。
【００８９】
例えば、外来ノイズを検出するための検出対象が異なる４種のセンサ（つまり、電界センサ、磁界センサ、電流センサ、電圧センサ）のうちの２種以上のセンサを、ＥＣＵ用フェールセーフ装置１ａ、センサ用フェールセーフ装置１ｂ、車両用フェールセーフ装置１ｃに備える構成としてもよい。そして、この２種以上のセンサでの各々の検出結果をもとにして、外来ノイズの検出精度や閾値判定の判定精度を向上させる構成としてもよい。
【００９０】
センサは、空間のノイズを検出する電界センサ・磁界センサと、信号線等の線から入力されるノイズを検出する電流センサ・電圧センサとの２つに分類されるが、電流センサ・電圧センサを用いる場合には、外来ノイズの他にも車内のＥＣＵやモータ等のノイズが混じる可能性がある。従って、電界センサや磁界センサと電流センサや電圧センサとの両方を用い、電界センサや磁界センサで検出した外来ノイズは低いのにもかかわらず、電流センサや電圧センサで検出した外来ノイズが大きくなった場合には、車内のノイズ源の影響と判断して、外来ノイズのレベルは低いと判断する構成とすればよい。
【００９１】
一例として、電流センサや電圧センサで検出した外来ノイズが、前述の閾値判定の電流センサや電圧センサについての閾値以上であった場合でも、電界センサや磁界センサで検出した外来ノイズが、前述の閾値判定の電界センサや磁界センサについての閾値以上でなかった場合には、外来ノイズが閾値以上でないと判定し、以降の処理を前述したのと同様にして行う構成とすればよい。
【００９２】
他にも、本実施形態では、閾値判定を行って、閾値を超えた場合に制御信号を出力する構成を示したが、必ずしもこれに限らない。例えば、機器制御信号出力回路１３ａ・１３ｂ・１３ｃにおいて、ノイズ定量化回路１２から出力される信号（アナログ信号とする）の大きさに応じた強度で、フェールセーフ処理を行う構成としてもよい。
【００９３】
一例としては、ノイズ定量化回路１２から出力されるアナログ信号が大きくなるほど、報知デバイス５としての音声出力装置から出力する警告の音量を増加させたり、報知デバイス５としての振動発生装置から発生させる振動の周期を短くしたりするなどすればよい。よって、ノイズ定量化回路１２が請求項のノイズ対応出力部に相当する。
【００９４】
（実施形態２）
本発明は上述の実施形態１に限定されるものではなく、次の実施形態２も本発明の技術的範囲に含まれる。以下では、実施形態２について図面を用いて説明を行う。図１１に示すように、フェールセーフシステム２００は、センタ１０と、複数の車両の各車両に搭載された車載システム１０１とを含む。なお、説明の便宜上、前述の実施形態の説明に用いた図に示した部材と同一の機能を有する部材については、同一の符号を付し、その説明を省略する。
【００９５】
センタ１０は、サーバから構成されており、センタ側通信装置４１、センタ側制御装置４２、及び地図データベース（ＤＢ）４３を備えている。なお、センタ１０は、１つのサーバからなるものであってもよいし、複数のサーバからなっているものであってもよい。
【００９６】
センタ側通信装置４１は、無線基地局やインターネット等の通信網を介して、車両側通信装置９との間で通信を行う。センタ側制御装置４２は、ＣＰＵ、ＲＯＭ、ＲＡＭ、Ｉ／Ｏ、及び、これらの構成を接続するバスライン等からなる周知のマイクロコンピュータを中心に構成されている。そして、ＲＯＭ等に記憶されたプログラムに従って、各種の処理を行う。また、地図ＤＢ４３には、電子地図データが格納されている。
【００９７】
続いて、車載システム１０１は、車両用フェールセーフ装置１ｃ、位置検出器８、及び車両側通信装置９を含んでいる。本実施形態では、一例として車両用フェールセーフ装置１ｃを含む構成を示すが、必ずしもこれに限らず、車両用フェールセーフ装置１ｃの代わりにＥＣＵフェールセーフ装置１ａやセンサ用フェールセーフ装置１ｂを用いる構成としてもよい。
【００９８】
位置検出器８は、地磁気を検出する地磁気センサ、自車両の鉛直方向周りの角速度を検出するジャイロスコープ、自車両の移動距離を検出する距離センサ、および衛星からの電波に基づいて車両の現在位置を検出するＧＰＳ（global positioning system）のためのＧＰＳ受信機といった各センサから得られる情報をもとに、自車の現在位置の検出を逐次（例えば１００ｍｓｅｃごとに）行う。また、位置検出器８は、検出した現在位置情報を車両側通信装置９に出力する。なお、自車の現在位置は、座標（緯度・経度）で表すものとすればよい。
【００９９】
これらのセンサは、各々が性質の異なる誤差を持っているため、複数のセンサにより各々補完しながら使用するように構成されている。なお、各センサの精度によっては位置検出器８を上述した内の一部で構成してもよいし、上述した以外のセンサを用いる構成としてもよい。
【０１００】
車両側通信装置９は、無線基地局やインターネット等の通信網を介して、センタ側通信装置４１との間で通信を行う。車両側通信装置９は、携帯電話網を利用してテレマティクス通信を行うＤＣＭ（data communication module）等の通信モジュールであってもよいし、ＥＴＣ（登録商標）システム等で用いられる狭域通信（ＤＳＲＣ）や、ＶＩＣＳ（登録商標）等で用いられる電波ビーコンおよび光ビーコンの技術を用いるものであってもよい。他にも、７００ＭＨｚ帯の電波や５．９ＧＨｚ帯の電波を利用するものであってもよい。
【０１０１】
次に、フェールセーフシステム２００における全体の処理の流れについて説明を行う。まず、車載システム１０１では、車両用フェールセーフ装置１ｃの機器制御信号出力回路１３ｃにおいて、ノイズ定量化回路１２で変換された直流信号の強度が所定の閾値を超えた場合に、例えばこの直流信号の強度の情報（つまり、外来ノイズの強度の情報）を車両側通信装置９に出力する。
【０１０２】
車両用フェールセーフ装置１ｃから直流信号の強度の情報が入力された車両側通信装置９では、例えば同時期に位置検出器８から入力された車両の現在位置情報と、当該直流信号の強度の情報とを紐付けて（対応付けて）センタ側通信装置４１に送信する。紐付けされて車両側通信装置９からセンタ側通信装置４１に送信される直流信号の強度の情報及び車両の現在位置情報を、以下では外来ノイズ発生データと呼ぶ。
【０１０３】
外来ノイズ発生データを受信したセンタ側通信装置４１は、受信した外来ノイズ発生データをセンタ側制御装置４２に送る。センタ側制御装置４２は、地図ＤＢ４３に格納されている電子地図データと、受信した外来ノイズ発生データとをもとに、外来ノイズ発生データに含まれる車両の現在位置情報が示す地点を電子地図上にマッピングする。つまり、外来ノイズの強度が閾値以上であった地点を電子地図上の位置に対応付ける。上記マッピングを行った電子地図データについては、地図ＤＢ４３に格納する。
【０１０４】
センタ１０では、複数の車両の車載システム１０１から送信される外来ノイズ発生データについて、電子地図上に上記マッピングを行うことで、複数の車両の外来ノイズ発生データを集積してマッピングすることになる。そして、センタ１０のセンタ側制御装置４２は、例えば上記マッピングを行った電子地図データを、センタ側通信装置４１から各車両の車両側通信装置９に向けて配信する。
【０１０５】
上記マッピングは、外来ノイズ発生データに含まれる車両の現在位置情報が示す地点（以下、ノイズ検出地点）を電子地図上に対応付けるだけに限らないものとする。例えば、ノイズ検出地点を中心とした所定の半径の円を重畳表示させる構成としてもよい。さらに、この円の色相や彩度や明度を、外来ノイズ発生データに含まれる直流信号の強度の情報が示す強度に応じて複数段階に変化させる構成としてもよい。
【０１０６】
また、ノイズ検出地点が含まれる電子地図上のメッシュを特定の色付けして強調表示する構成としてもよい。さらに、このメッシュの色相や彩度や明度を、外来ノイズ発生データに含まれる直流信号の強度の情報が示す強度に応じて複数段階に変化させる構成としてもよい。
【０１０７】
他にも、電子地図上のメッシュ内のノイズ検出地点の密度に応じて、メッシュの色相や彩度や明度を複数段階に変化させる構成としてもよい。
【０１０８】
これによれば、上記マッピングを行った電子地図データの配信を受けた車両において、例えばナビゲーション装置等のディスプレイに、外来ノイズの強度が閾値以上であった地点を示す電子地図を表示させることが可能になる。よって、自車が走行したことのない経路における外来ノイズの強度が大きい地点を乗員が予測することができ、外来ノイズの強度が大きいと推測される地点を避けて走行することが可能になる。
【０１０９】
また、上記マッピングした電子地図データをセンタ側通信装置４１から配信するのではなく、センタ１０で集積した、外来ノイズの強度が閾値以上であった地点の座標を各車両に配信する構成としてもよい。
【０１１０】
この場合でも、上記座標の配信を受けた車両において、例えばナビゲーション装置等のディスプレイに、外来ノイズの強度が閾値以上であった地点を示す電子地図を表示させることが可能になる。よって、自車が走行したことのない経路における外来ノイズの強度が大きい地点を乗員が予測することができ、外来ノイズの強度が大きいと推測される地点を避けて走行することが可能になる。
【０１１１】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１１２】
１ａ  ＥＣＵ用フェールセーフ装置（フェールセーフ装置）、１ｂ  センサ用フェールセーフ装置（フェールセーフ装置）、１ｃ  車両用フェールセーフ装置（フェールセーフ装置）、２  ＥＣＵ（電子装置）、３  センサ（電子装置）、１１ａ・１１ｂ・１１ｃ  ノイズ検出センサ（センサ部）、１２  ノイズ定量化回路１２（ノイズ対応出力部）、１３ａ・１３ｂ・１３ｃ  機器制御信号出力回路（閾値判定部、フェールセーフ部）、２１  信号線
【図１】
2014035693.tif 000003
【図２】
2014035693.tif 000004
【図３】
2014035693.tif 000005
【図４】
2014035693.tif 000006
【図５】
2014035693.tif 000007
【図６】
2014035693.tif 000008
【図７】
2014035693.tif 000009
【図８】
2014035693.tif 000010
【図９】
2014035693.tif 000011
【図１０】
2014035693.tif 000012
【図１１】
2014035693.tif 000013